(57)【特許請求の範囲】
【請求項１】
プレス金型の裏面側修正コマを支持する、プレス金型の正面側から裏面側に延びる長手方向のテーパー面を有する外側テーパーカムと、プレス金型の正面側修正コマを支持する長手方向のテーパー面を有する内側テーパーカムとを有し、上記外側テーパーカムが上記内側テーパーカムを長手方向に移動自在にガイドする溝を内側に有することを特徴とするプレス金型における修正コマ調整装置。
【発明の詳細な説明】
【０００１】
【発明の属する技術分野】
本発明はプレス金型における修正コマ調整装置、特に、テーパーカムを用いた調整装置に関するものである。
【０００２】
【従来の技術】
従来、リードフレーム製造のリードフレーム打ち抜き工程においては打ち抜いた条材に反りが生じる。これは、条材の圧延工程及びサイドカット工程等で発生する残留応力や、リードフレームの打ち抜き工程による残留応力が条材に加わり、リードフレームが打ち抜き金型を出た後、リードフレームに反りとして現れたものである。そこでこの反りを修正するため、金型の中に反り修正コマを設けテーパーカムを用いた微調整機構を用い反りを修正している。ここで、リードフレームの打ち抜き効率向上のため、複数条の条材を同時に抜くことが行われるが、この際各条材の残留応力が異なるために、夫々について反り修正量を調整する必要がある。
【０００３】
従来この調整機構は、「金型設計基準マニュアル」（吉田弘美著）や特開平８−２７９５８１号公報記載のように、テーパーカムとこのカム上に設置した修正コマを用い、テーパーカムをスライドさせ、修正コマを上下させる方法が用いられてきた。このような方法は複数条を同時に打ち抜く金型において、リードフレームの調整したい箇所の数だけ、複数個のテーパーカムを設け、これらをその都度個別調整するものである。この方法は調整箇所の数だけテーパーカムが必要であり、金型やプレスマシンが大型化し、金型の製作コストやランニングコストが上昇する問題がある。
【０００４】
この問題に対して、図５及び図６に示すように一つのテーパーカム１上に正面側及び裏面側の２つの修正コマ２，３を載せ、同時に二箇所の修正を行いコストを抑える方法がある。なお、４は金型表面、５は製品である。
【０００５】
また、別の方法として図７及び図８に示すように一つのガイド溝上に修正コマ２と３用の二本のテーパーカム６，７を夫々配置する事によって、修正コマ２，３を個別に調整可能にしつつ金型の工程を減らす方法がある。
【０００６】
更に、図９及び図１０に示すように二本のテーパーカム６，７を並設した方法がある。
【０００７】
【発明が解決しようとする課題】
然しながら、上記特許公開公報に示す従来の方法では一箇所の調整個所に対して、一組のテーパーカム、修正コマが必要となるため、複数条を同時に打ち抜く金型のように調整したい箇所が多いと多くの工程を必要とし、金型やプレスマシンが大型化し製造コストやランニングコストが大きくなる。
【０００８】
また、図５及び図６に示すように一つのテーパーカムに二つの修正コマを用いる方法は、工程を少なくできるものの、二つの調整箇所を個別に調整することができず、二箇所の調整を同時に満たす範囲でしか調整できない。
【０００９】
更に、図７及び図８に示すように一つのガイド溝上に二本のテーパーカムを入れる事によって、二箇所を個別に調整可能にする方法は、個別調整・金型製作コストの面で有利であるが、調整作業がプレスマシンの正面と裏面の二箇所になるため、操業時の調整作業が面倒である。また、３つ以上の条材には対応できない。
【００１０】
更にまた、図９及び図１０に示すように二本のテーパーカム６，７を並設した方法では、正面から調整が行なえ作業性は良いが、２本のカムが並ぶ構造のため反り修正工程が倍の長さとなり、金型の特に材料費が高価となる。
【００１１】
本発明の目的は、修正箇所の個別調整を可能にしつつ、金型の小型化のため、工程の短縮と費用の節約できる小スペース化された機構を用い、また、操業時の調整作業を容易にするため、調整作業をプレスマシンの正面で行なうことにある。
【００１２】
また、個別調整を行うためには、一本のテーパーカムに対して、一つの修正コマが必要であるが、本発明の他の目的は例えば一組のテーパーカムの内側に、もう一組のテーパーカムを組み込み一体化することによって、個別調整を行いつつ設置スペースを少なく抑えるようにすることにある。
【００１３】
更に、本発明の他の目的は組み込んだテーパーカムそれぞれに同一方向から調整するボルトを設けることで、調整作業をプレスマシンの正面のみとすることにある。
【００１４】
この際、プレス時の荷重によってテーパーカムにずれを生じると、修正コマが安定せず、調整量にばらつきが発生するため、本発明の他の目的は調整ボルトを、カムの中心線上に偏芯しないように配置することにある。
【００１５】
【課題を解決するための手段】
本発明のプレス金型における修正コマ調整装置は、プレス金型の裏面側修正コマを支持する、プレス金型の正面側から裏面側に延びる長手方向のテーパー面を有する外側テーパーカムと、プレス金型の正面側修正コマを支持する長手方向のテーパー面を有する内側テーパーカムとを有し、上記外側テーパーカムが上記内側テーパーカムを長手方向に移動自在にガイドする溝を内側に有することを特徴とする。
【００１８】
【発明の実施の形態】
以下図面によって本発明の実施例を説明する。
【００１９】
本発明においては、図１〜図３に示すように正面側修正コマ２を上下動せしめる内側テーパーカム８と、裏面側修正コマ３を上下動せしめる外側テーパーカム９とを用い、この外側テーパーカム９を金型本体１０の溝（図示せず）によって長手方向に進退自在にガイドせしめると共に、この外側テーパーカム９の中央部に長手方向に延びる、上記内側テーパーカム８より長いガイド溝１１を形成し、このガイド溝１１内に上記内側テーパーカム８を嵌合して長手方向に移動自在ならしめるようにする。
【００２０】
上記外側テーパーカム９を移動せしめる手段は、図４に示すように、上記外側テーパーカム９のブロック１２の正面側において、金型本体１０に垂設し、固定した固定台１３と、上記外側テーパーカム９の幅方向中心に対応して上下に位置せしめた一方及び他方の外側調整ボルト１４，１５により構成し、上記一方の外側調整ボルト１４は、その軸部を上記固定台１３に形成した孔に挿通した後、その先端部を上記外側テーパーカム９のブロック１２に螺合、固定し、この一方の外側調整ボルト  １４を前後に移動することによって上記外側テーパーカム９を前後に移動できるようにする。また、上記他方の外側調整ボルト１５は、その軸部を上記固定台１３に螺合し、その先端を上記外側テーパーカム９のブロック１２に対接せしめ、上記外側テーパーカム９が長手方向後方には移動されないようにすると共に、この他方の外側調整ボルト１５を上記固定台１３にねじ込めば上記外側テーパーカム９を長手方向前方に移動できるようにする。
【００２１】
また、上記内側テーパーカム８を移動せしめる手段は、図４に示すように上記外側テーパーカム９のブロック１２の正面側において、内側テーパーカム８の幅方向中心に対応して上下に位置せしめた一方及び他方の内側調整ボルト１６，１７により構成し、上記一方の内側調整ボルト１６はその軸部を上記固定台１３及び上記外側テーパーカム９に形成した孔に挿通した後その先端部を上記内側テーパーカム８のブロック１８に螺合、固定し、この一方の内側調整ボルト１６を前後に移動することによって上記内側テーパーカム８を前後に移動できるようにする。
【００２２】
また、上記他方の内側調整ボルト１７は、その軸部を上記固定台１３に螺合した後上記外側テーパーカム９のブロック１２の孔に挿通し、その先端を上記内側テーパーカム８のブロック１８に対接せしめ、上記内側テーパーカム８が長手方向後方には移動されないようにすると共に、この他方の内側調整ボルト１７を上記固定台１３にねじ込めば上記内側テーパーカム８を長手方向前方に移動できるようにする。
【００２３】
なお、上記内側テーパーカム８のブロック１８の幅は、図３に示すように他の部分よりも狭くし、外側テーパーカム９に形成した溝１１内に容易に挿入し得るようにするのが好ましい。
【００２４】
本発明の他の実施例においては３個以上の修正コマと、これを上下動する３個以上のテーパーカムを用い、これらテーパーカムを互いに他をガイドするように嵌合状態に構成しても良い。
【００２５】
本発明のプレス金型における修正コマ調整装置は、上記のような構成であるから一方及び他方の外側調整ボルト１４，１５を回動することによって外側テーパーカム９が金型本体１０に相対的に前後方向に移動し、上記金型本体１０によって上下動自在に支持された外側修正コマ３を上下動調整できるようになる。
【００２６】
同様にして一方及び他方の内側調整ボルト１６，１７を回動することによって内側修正コマ２を上下動調整できるようになる。
【００２７】
【発明の効果】
上記のように本発明のプレス金型における修正コマ調整装置によれば、内側及び外側テーパーカムの調整ボルトの進退方向が同一方向となるためその調整が容易となり、また、これら調整ボルトは夫々テーパーカムの中心線に沿って金型本体の正面側から同一方向に進退するように配置されているためカムがプレス荷重や調整ボルトによってずれることがなく、安定した操作が可能となる。また、外側のテーパーカムは、金型本体によってガイドされ、内側のテーパーカムは、上記外側テーパーカムによってガイドされているため、金型を小型化しつつ、修正コマを多く設置できる等大きな利益がある。
【図面の簡単な説明】
【図１】本発明のプレス金型における修正コマ調整装置の斜視図である。
【図２】図１に示すプレス金型における修正コマ調整装置の分解斜視図である。
【図３】図１に示すプレス金型における修正コマ調整装置の横断平面図である。
【図４】図３に示すプレス金型における修正コマ調整装置の正面図である。
【図５】従来のプレス金型における修正コマ調整装置の正面図である。
【図６】図５に示すプレス金型における修正コマ調整装置の横断平面図である。
【図７】従来の他のプレス金型における修正コマ調整装置の正面図である。
【図８】図７に示すプレス金型における修正コマ調整装置の横断平面図である。
【図９】従来の更に他のプレス金型における修正コマ調整装置の正面図である。
【図１０】図９に示すプレス金型における修正コマ調整装置の横断平面図である。
【符号の説明】
１  テーパーカム
２  修正コマ
３  修正コマ
４  金型表面
５  製品
６  テーパーカム
７  テーパーカム
８  テーパーカム
９  テーパーカム
１０  金型本体
１１  ガイド溝
１２  ブロック
１３  固定台
１４  調整ボルト
１５  調整ボルト
１６  調整ボルト
１７  調整ボルト
１８  ブロック
【図１】
0003829299.tif 000002
【図２】
0003829299.tif 000003
【図３】
0003829299.tif 000004
【図４】
0003829299.tif 000005
【図５】
0003829299.tif 000006
【図６】
0003829299.tif 000007
【図７】
0003829299.tif 000008
【図８】
0003829299.tif 000009
【図９】
0003829299.tif 000010
【図１０】
0003829299.tif 000011